(57)【要約】【課題】  使用時および不使用時に広いスペースを必要とせず、必要以上の煩雑な洗浄作業が不要であって、無駄な要素がないために環境上好ましく、比較的容易にコーヒーの味を調整可能な飲料抽出装置として機能し得る、コーヒーカップを提供する。【解決手段】  本発明は、コーヒー粉末を封入した袋体と飲料水とを用いてコーヒーを製造すると共に、前記コーヒーを直接的に飲食可能であるコーヒーカップ１０であって、前記袋体の投入および前記飲料水の注入が可能であり、内側には突起部１２が設けられており、前記突起部１２は、前記コーヒーカップ１０の底部に前記袋体を滞留させるために用いられる押さえ手段２０と係合可能に構成されていることを特徴としている。【選択図】  図１
2009207678.tif 000002
【特許請求の範囲】
【請求項１】
飲料原料を封入した袋体と飲料液体とを用いて前記飲料原料を抽出した抽出飲料物を製造可能な飲料抽出装置であって、
前記袋体の投入および飲料液体の注入が可能な容器と、
前記容器の内部に設けられた突起部と、
前記突起部と係合することによって、前記容器の底部に前記袋体を滞留させることが可能な押さえ手段とを備えた
ことを特徴とする飲料抽出装置。
【請求項２】
飲料原料を封入した袋体と飲料液体とを用いて前記飲料原料を抽出した抽出飲料物を製造すると共に、前記抽出飲料物を直接的に飲食可能である飲料抽出装置であって、
前記袋体の投入および前記飲料液体の注入が可能な容器と、
前記容器の内側に設けられた突起部と、
前記突起部と係合することによって、前記容器の底部に前記袋体を滞留させることが可能な押さえ手段と、
前記容器の外側に設けられた把持部とを備えた
ことを特徴とする飲料抽出装置。
【請求項３】
コーヒー粉末を封入した袋体と飲料水とを用いてコーヒーを製造すると共に、前記コーヒーを直接的に飲食可能であるコーヒーカップであって、
前記袋体の投入および前記飲料水の注入が可能であり、
内側には突起部が設けられており、
前記突起部は、前記コーヒーカップの底部に前記袋体を滞留させるために用いられる押さえ手段と係合可能に構成されている
ことを特徴とするコーヒーカップ。
【発明の詳細な説明】
【技術分野】
【０００１】
本発明は、飲料原料を封入した袋体を用いて飲料原料の抽出が可能な飲料抽出装置に関するものである。具体的には、例えば、本発明は、コーヒー粉末を封入した袋体と飲料水とを用いてコーヒーを製造すると共に、コーヒーを直接的に飲食可能であるコーヒーカップに関するものである。
【背景技術】
【０００２】
通常、事業所あるいは一般家庭にてコーヒー（レギュラーコーヒー）の製造を行う場合においては、ドリップ式の飲料抽出装置、あるいは使い捨てタイプのドリッパーが用いられる。
【０００３】
ドリップ式の飲料抽出装置は、例えば、ヒータ、サーバ、フィルタカップ、タンク等を用いて構成されている。具体的には、まず、ヒータ上にサーバおよびフィルタカップを積み重ねる。このフィルタカップ内には、漏斗状のフィルタとコーヒー粉末とが設置される。次いで、タンクに収容された飲料水が逆止弁を介してヒータに供給され加熱される。次いで、加熱された飲料水が吐出パイプを経てフィルタカップ内に吐出され、漏斗状のフィルタを介して、サーバにコーヒー（コーヒー抽出液）が回収される。そして、このサーバからコーヒーカップ等にコーヒーが注がれ、コーヒーを飲食することが可能となる。
【０００４】
また、使い捨てタイプのドリッパーは、例えば、折り畳み可能な紙製の器の内部にフィルタを有すべく構成されており、このフィルタ内にコーヒー粉末が充填されている。使用する場合には、紙製の器を起立させた状態でコーヒーカップ等の容器に載置し、フィルタ内のコーヒー粉末上に加熱された飲料水が注がれる。そして、フィルタを介してコーヒーカップ内にコーヒー（コーヒー抽出液）が回収され、コーヒーを飲食することが可能となる。（例えば、特許文献１参照）
【０００５】
【特許文献１】特許第３７９３０７１号公報
【発明の開示】
【発明が解決しようとする課題】
【０００６】
しかしながら、上述した従来技術には、次のような問題があった。
【０００７】
ドリップ式の飲料抽出装置は、多数の構成要素によって構成されているため、装置を設置あるいは収納する際に比較的広めのスペースが必要となる。また、このドリップ式の飲料抽出装置は、使用後の洗浄が必須となる。すなわち、従来技術にかかるドリップ式の飲料抽出装置においては、使用時および不使用時に比較的広いスペースを要すると共に、使用後に煩雑な洗浄作業が必要になるという問題があった。
【０００８】
使い捨てタイプのドリッパーは、ドリップ式の飲料抽出装置のように、比較的広いスペースも必要とせず、煩雑な洗浄作業も必要としない。しかしながら、この使い捨てタイプのドリッパーは、毎回コーヒーを製造する度に、「折り畳み可能な紙製の器」を使用して廃棄するため、環境上好ましくないという問題があった。加えて、上述した使い捨てタイプのドリッパーにおいては、コーヒーを自分の好みの「味」にすることが困難であるという問題があった。
【０００９】
そこで、本発明は、上記従来技術の問題を解決するためになされたものであって、使用時および不使用時に広いスペースを必要とせず、必要以上の煩雑な洗浄作業が不要であって、無駄な要素がないために環境上好ましく、比較的容易に抽出飲料物（コーヒー等）の味を調整可能な、飲料抽出装置を提供することを課題とする。また、本発明は、使用時および不使用時に広いスペースを必要とせず、必要以上の煩雑な洗浄作業が不要であって、無駄な要素がないために環境上好ましく、比較的容易にコーヒーの味を調整可能な飲料抽出装置として機能し得る、コーヒーカップを提供することを課題とする。
【課題を解決するための手段】
【００１０】
本発明は、上記課題を解決するためになされたもので、飲料原料を封入した袋体と飲料液体とを用いて前記飲料原料を抽出した抽出飲料物を製造可能な飲料抽出装置であって、前記袋体の投入および飲料液体の注入が可能な容器と、前記容器の内部に設けられた突起部と、前記突起部と係合することによって、前記容器の底部に前記袋体を滞留させることが可能な押さえ手段とを備えたことを特徴としている。ここで、「袋体」は、飲料原料（コーヒー粉末、茶葉、紅茶葉等）が漏れ出すことなく、飲料液体に浸されることによって抽出飲料物（コーヒー、茶、紅茶等）が製造可能な、紙あるいは布等の材料を用いて構成されることが好ましい。
【００１１】
このような構成によれば、コーヒー粉末、茶葉、紅茶葉等の飲料原料を封入した「袋体」を用いて、抽出飲料物（コーヒー、茶、紅茶等）を製造可能な飲料抽出装置を、「容器」および「押さえ手段」という比較的簡単な構成にて得ることができる。本発明にかかる飲料抽出装置は、先に説明した従来技術にかかるドリップ式の飲料抽出装置と異なり、多数の構成要素を有しないため、使用時および不使用時に広いスペースを必要としない。また、本発明にかかる飲料抽出装置は、容器と押さえ手段のみで構成されているため、従来技術にかかるドリップ式の飲料抽出装置と比較して、使用後の洗浄作業の煩雑さが格段に低減される。さらに、本発明によれば、従来技術にかかる使い捨てタイプのドリッパーと異なり、「折り畳み可能な紙製の器」が不要であるため、廃棄物が削減され、環境上好ましい。また、本発明によれば、飲料液体に対する袋体（中の飲料原料）の浸し具合を押さえ手段にて容易に調整可能であるため、利用者の好みに応じた抽出飲料物を製造することができる。
したがって、このような構成によれば、使用時および不使用時に広いスペースを必要とせず、必要以上の煩雑な洗浄作業が不要であって、無駄な要素がないために環境上好ましく、比較的容易に抽出飲料物（コーヒー等）の味を調整可能な、飲料抽出装置を得ることができる。
【００１２】
また、本発明は、上記課題を解決するためになされたもので、飲料原料を封入した袋体と飲料液体とを用いて前記飲料原料を抽出した抽出飲料物を製造すると共に、前記抽出飲料物を直接的に飲食可能である飲料抽出装置であって、前記袋体の投入および前記飲料液体の注入が可能な容器と、前記容器の内側に設けられた突起部と、前記突起部と係合することによって、前記容器の底部に前記袋体を滞留させることが可能な押さえ手段と、前記容器の外側に設けられた把持部とを備えたことを特徴としている。
【００１３】
このような構成によれば、上述したように、使用時および不使用時に広いスペースを必要とせず、必要以上の煩雑な洗浄作業が不要であって、無駄な要素がないために環境上好ましく、比較的容易に抽出飲料物（コーヒー等）の味を調整可能な、飲料抽出装置を得ることができる。
加えて、本発明は、容器の外側に利用者が把持する把持部が設けられており、飲料抽出装置を用いて、利用者が直接的に抽出飲料物を飲食可能であるように構成されている。このような構成によれば、従来技術にかかるドリップ式の飲料抽出装置等と比較して、さらに構成要素が削減され、環境に優しい飲料抽出装置とすることができる。すなわち、従来技術にかかるドリップ式の飲料抽出装置であれば、抽出飲料物を飲む場合、利用者がサーバから紙コップやコーヒーカップ等に注ぐ必要があるが（つまり、「ドリップ式の飲料抽出装置」と「コーヒーカップ等」とが必要であるが）、本発明によれば、飲料抽出装置そのものを用いて（利用者が把持部を持って）、抽出飲料物を飲むことができる。したがって、本発明によれば、洗浄物あるいは廃棄物を削減することが可能となって、より環境に配慮した飲料抽出装置とすることができる。
【００１４】
さらに、本発明は、上記課題を解決するためになされたもので、コーヒー粉末を封入した袋体と飲料水とを用いてコーヒーを製造すると共に、前記コーヒーを直接的に飲食可能であるコーヒーカップであって、前記袋体の投入および前記飲料水の注入が可能であり、内側には突起部が設けられており、前記突起部は、前記コーヒーカップの底部に前記袋体を滞留させるために用いられる押さえ手段と係合可能に構成されていることを特徴としている。
【００１５】
このような構成によれば、コーヒー粉末を封入した「袋体」を用いて、コーヒーを製造可能なコーヒーカップを比較的簡単な構成にて得ることができる。具体的には、コーヒーカップ内に、加熱した飲料水を注ぎ、その飲料水中にコーヒー粉末を封入した袋体を投入し、この袋体を押さえ手段にてコーヒーカップの底部にまで押し下げて、押さえ手段をコーヒーカップ内部の突起部と係合させることによって袋体をコーヒーカップの底部にて滞留させる。この際、押さえ手段と突起部とを係合させる前に、押さえ手段にて袋体を上下に数回揺らすことによって（例えば、好みの濃さになるまで揺らすことによって）、コーヒーを好みの「味」に仕上げることができる。
【００１６】
本発明にかかるコーヒーカップは、上述した構成であるため、先に説明した従来技術にかかるドリップ式の飲料抽出装置と異なり、多数の構成要素を有しない。よって、使用時および不使用時に広いスペースを必要としない。また、本発明にかかるコーヒーカップは、非常に簡単な構成であるため、従来技術にかかるドリップ式の飲料抽出装置と比較して、使用後の洗浄作業の煩雑さが格段に低減される。さらに、本発明によれば、従来技術にかかる使い捨てタイプのドリッパーと異なり、「折り畳み可能な紙製の器」が不要であるため、廃棄物が削減され、環境上好ましい。また、本発明によれば、飲料液体に対する袋体（中の飲料原料）の浸し具合を押さえ手段にて容易に調整可能であるため、利用者の好みに応じたコーヒーを製造することができる。
したがって、このような構成によれば、使用時および不使用時に広いスペースを必要とせず、必要以上の煩雑な洗浄作業が不要であって、無駄な要素がないために環境上好ましく、比較的容易にコーヒーの味を調整可能な飲料抽出装置として機能し得る、コーヒーカップを得ることができる。
【発明の効果】
【００１７】
本発明によれば、使用時および不使用時に広いスペースを必要とせず、必要以上の煩雑な洗浄作業が不要であって、無駄な要素がないために環境上好ましく、比較的容易に抽出飲料物（コーヒー等）の味を調整可能な、飲料抽出装置を得ることができる。また、本発明によれば、使用時および不使用時に広いスペースを必要とせず、必要以上の煩雑な洗浄作業が不要であって、無駄な要素がないために環境上好ましく、比較的容易にコーヒーの味を調整可能な飲料抽出装置として機能し得る、コーヒーカップを得ることができる。
【発明を実施するための最良の形態】
【００１８】
以下、図面に基づいて、本発明の実施形態を説明する。
【００１９】
＜第一実施形態＞
図１は、本発明の第一実施形態にかかる飲料抽出装置１（押さえ手段２０を備えたコーヒーカップ１０）の概略斜視図を示したものである。また、図２は、本発明の第一実施形態にかかる飲料抽出装置１を構成するコーヒーカップ１０の概略図を示したものであって、図２（ａ）はコーヒーカップ１０の概略上面図を示し、図２（ｂ）は図２（ａ）のII−II線に沿う概略断面図を示している。さらに、図３は、本発明の第一実施形態にかかる飲料抽出装置１を構成する押さえ手段２０の概略図を示したものであって、図３（ａ）は押さえ手段２０の概略上面図を示し、図３（ｂ）は図３（ａ）のIII−III線に沿う概略断面図を示している。
【００２０】
これらの図に示すように、本実施形態にかかる飲料抽出装置１は、コーヒーカップ１０と、押さえ手段２０とを用いて構成されている。
【００２１】
より具体的には、本実施形態にかかる飲料抽出装置１を構成するコーヒーカップ１０は、図１および図２に示すように、カップ本体部１１（本発明の「容器」に相当）と、このカップ本体部１１の内側に設けられた突起部１２と、カップ本体部１１の外側に設けられた把持部１３とを用いて構成されている。ここで、突起部１２は、押さえ手段２０（詳細は後述する）を突起部１２の下方位置（カップ本体部１１の底部）に落とし込むことが可能であると共に、押さえ手段２０を回転させることによって、押さえ手段２０と適切に係合可能である形状に形成されている。また、本実施形態においては、カップ本体部１１の内部の対向する位置に二つの突起部１２が設けられており、これらの突起部１２と把持部１３とが略直線上に位置すべく構成されている。
【００２２】
また、本実施形態にかかる飲料抽出装置１を構成する押さえ手段２０は、図１および図３に示すように構成されている。より具体的には、押さえ手段本体部２１と、この押さえ手段本体部２１の略中央部に設けられた掴み部２２とを用いて構成されている。本実施形態にかかる押さえ手段２０を構成する押さえ手段本体部２１は、円盤状部材の対向する二箇所を内側に抉るような形に構成されており、対向する二つの側面凹部２１ａと、対向する二つの側面凸部２１ｂとを有している。また、この押さえ手段本体部２１には、複数の貫通穴部２３が形成されている。本実施形態にかかる押さえ手段２０を構成する掴み部２２は、押さえ手段２０の操作性を高めるために設けられており、押さえ手段２０の移動操作や回転操作をする際に、利用者がトング等を用いて掴みやすい形状に構成されている。
【００２３】
本実施形態にかかる飲料抽出装置１を構成するコーヒーカップ１０および押さえ手段２０は、以上のように構成されており、これらは、図４に示すような方法で用いられる。ここで、図４は、本実施形態にかかる飲料抽出装置１の使用方法を説明するための概略図を示したものであって、図４（ａ）はコーヒーカップ１０に対して押さえ手段２０を投入する際の投入方法を説明するための概略斜視図を示し、図４（ｂ）はコーヒーカップ１０中にて押さえ手段２０を保持する際の保持方法を説明するための概略上面図を示している。
【００２４】
図４（ａ）に示すように、本実施形態にかかる飲料抽出装置１においては、押さえ手段２０の側面凹部２１ａがコーヒーカップ１０の突起部１２をかわす形状に構成されているため、突起部１２の下方位置に押さえ手段２０（図４（ａ）の仮想線（二点鎖線）にて示す押さえ手段２０）を配設することができる。つまり、コーヒーカップ１０の上方位置から押さえ手段２０（図４（ａ）の実線にて示す押さえ手段２０）をコーヒーカップ１０内に挿入し、突起部１２をかわす状態で押さえ手段２０を落とし込み、コーヒーカップ１０の下方位置に（突起部１２の下方位置に）押さえ手段２０（図４（ａ）の仮想線（二点鎖線）にて示す押さえ手段２０）を配置可能である。ここで、押さえ手段２０の操作（上下動操作）は、トング等を用いて行われる（掴み部２２をトング等で掴んだ状態で行われる）。
【００２５】
次いで、本実施形態においては、図４（ｂ）に示すように、突起部１２の下方位置に落とし込まれた押さえ手段２０（図４（ｂ）の実線にて示す押さえ手段２０）は、掴み部２２を中心として時計方向（図４（ｂ）の矢印Ｒ１方向）あるいは反時計方向（図４（ｂ）の矢印Ｒ２方向）のいずれかの方向に９０度回転させることによって、突起部１２と係合する位置に、押さえ手段２０（図４（ｂ）の仮想線（二点鎖線）にて示す押さえ手段２０）を回転移動させることができる。つまり、本実施形態においては、突起部１２の下方位置にて押さえ手段２０を９０度回転させ、突起部１２の直下に押さえ手段２０の側面凸部２１ｂを配置させることによって、押さえ手段２０（の側面凸部２１ｂ）と突起部１２との係合が可能となる。ここで、押さえ手段２０の操作（回転動操作）は、トング等を用いて行われる（掴み部２２をトング等で掴んだ状態で行われる）。
【００２６】
さて、本実施形態にかかる飲料抽出装置１（押さえ手段２０を備えたコーヒーカップ１０）は、上述した図１から図４に示すように構成され機能するため、図５に示す方法にてコーヒー（抽出飲料物）の製造を行うことができる。ここで、図５は、本発明の第一実施形態にかかる飲料抽出装置１を用いてコーヒーを製造する際の製造方法を説明するための概略図（概略断面図）を示したものであって、図５（ａ）はコーヒーカップ１０内に飲料水を注入する注入工程に関する概略断面図を示し、図５（ｂ）はコーヒーカップ１０内に袋体を投入する投入工程に関する概略断面図を示し、図５（ｃ）は押さえ手段２０にて袋体を揺動させる揺動工程に関する概略断面図を示し、図５（ｄ）は押さえ手段２０にて袋体をコーヒーカップ１０の底部に滞留保持させる滞留保持工程に関する概略断面図を示したものである。
以下、図５（必要に応じて図１から図４）を用いて、コーヒー（抽出飲料物）の製造方法について説明する。
【００２７】
まず、図５（ａ）に示すように、本実施形態においては、沸騰したお湯Ｗ（本発明の「飲料液体」「飲料水」に相当）を準備し、そのお湯Ｗがコーヒーカップ１０内に注入される（注入工程）。
【００２８】
次いで、図５（ｂ）に示すように、沸騰したお湯Ｗが注入されたコーヒーカップ１０内に、袋体Ｐ（コーヒー粉末を封入した袋体）が投入され（投入工程）、このお湯Ｗ中に３０秒間程、袋体Ｐが浸される。
【００２９】
次いで、図５（ｃ）に示すように、押さえ手段２０を袋体Ｐの上にのせ、押さえ手段２０を上下動（図５（ｃ）の矢印Ｖ方向）させることによって、袋体Ｐを上下に揺動させる（揺動工程）。ここでは、袋体Ｐを揺動させて、コーヒーの濃さ（味等）を好みの状態に調整することが可能となる。また、図５（ｃ）に示すように、トングＴにて掴み部２２を掴んで、押さえ手段２０の操作が行われる。ここでは、押さえ手段２０の貫通孔部２３等を介して、袋体Ｐからコーヒーが抽出される。
【００３０】
次いで、コーヒーの濃さ（味等）が好みの状態となった後、図５（ｄ）に示すように、押さえ手段２０を用いて、押さえ手段２０および袋体Ｐを突起部１２の下方位置に沈ませ、押さえ手段２０と突起部１２とを係合させることによって（この「係合」方法に関しては、図４等参照）、袋体Ｐをコーヒーカップ１０の底部に滞留保持させることができる。（滞留保持工程）。このように滞留保持された袋体Ｐからは、アロマやコクが立ち上がり、おいしいコーヒーを楽しむことができる。
【００３１】
本実施形態にかかる飲料抽出装置１は、図１から図５にて説明した構成および機能に基づき、コーヒーの製造が可能であるため、次のような作用効果を得ることができる。
【００３２】
本実施形態によれば、コーヒー粉末を封入した袋体Ｐを用いて、コーヒーを製造可能な飲料抽出装置１（押さえ手段２０を備えたコーヒーカップ１０）を比較的簡単な構成にて得ることができる。具体的には、コーヒーカップ１０内に、加熱した飲料水（沸騰したお湯Ｗ）を注ぎ、そのお湯Ｗ中にコーヒー粉末を封入した袋体Ｐを投入し、この袋体Ｐを押さえ手段２０にてコーヒーカップ１０の底部にまで押し下げて、押さえ手段２０をコーヒーカップ２０内部の突起部１２と係合させることによって袋体Ｐをコーヒーカップ２０の底部にて滞留させる。この際、押さえ手段２０と突起部１２とを係合させる前に、押さえ手段２０にて袋体Ｐを上下に数回揺らすことによって（好みの濃さになるまで揺らすことによって）、コーヒーを好みの「味」に仕上げることができる。
【００３３】
また、本実施形態にかかるコーヒーカップ１０は、上述した構成であるため、従来技術にかかるドリップ式の飲料抽出装置と異なり、多数の構成要素を有しない。よって、使用時および不使用時に広いスペースを必要としない。さらに、本実施形態にかかるコーヒーカップ１０は、非常に簡単な構成であるため、従来技術にかかるドリップ式の飲料抽出装置と比較して、使用後の洗浄作業の煩雑さが格段に低減される。
【００３４】
また、本実施形態によれば、従来技術にかかる使い捨てタイプのドリッパーと異なり、「折り畳み可能な紙製の器」が不要であるため、廃棄物が削減され、環境上好ましい。さらに、本実施形態によれば、お湯Ｗに対する袋体Ｐ（中の飲料原料）の浸し具合を押さえ手段２０にて容易に調整可能であるため、利用者の好みに応じたコーヒーを製造することができる。
【００３５】
また、本実施形態によれば、はじめに押さえ手段２０を用いて袋体Ｐを上下に揺動させることによって、コーヒーの濃さ（味等）を調整し、その後、袋体Ｐをコーヒーカップ１０の底部に閉じ込める構成であるため、ドリップしたコーヒーと同様に、コーヒーのコク、アロマ、風味を十分に引き出すことができる。
【００３６】
ところで、袋体Ｐに封入されるコーヒー粉末が新鮮であるか否かによって、コーヒーカップ１０（のお湯Ｗ）中における袋体Ｐの挙動は変化する。より具体的には、古いコーヒー粉末が封入された袋体Ｐの場合には、比較的容易にコーヒーカップ１０の底部に沈む。これに対し、新鮮な煎りたてのコーヒー豆を用いたコーヒー粉末が封入された袋体Ｐは、コーヒーカップ１０のお湯Ｗに浮かんでしまう。本実施形態にかかる飲料抽出装置１（押さえ手段２０を備えたコーヒーカップ１０）は、これまで説明したように、押さえ手段２０を有するため、新鮮なコーヒー粉末が封入された袋体Ｐを用いる場合であっても、押さえ手段２０を操作することによって袋体Ｐの動きを制御して、おいしいコーヒーを製造することが可能となる。
【００３７】
さらに、本実施形態にかかる飲料抽出装置１を構成するコーヒーカップ１０は、カップ本体部１１の内部の対向する位置に二つの突起部１２が設けられており、これらの突起部１２と把持部１３とが略直線上に位置すべく構成されており（図２等参照）、これに対応するように押さえ手段２０が構成されている（図３等参照）。したがって、本実施形態によれば、把持部１３を持ってコーヒーを飲む際、突起部１２と係合している押さえ手段２０が安定し、突起部１２と押さえ手段２０との係合状態が解除されにくいという効果を得ることができる。
【００３８】
本実施形態は、以上のような構成および効果を有するため、使用時および不使用時に広いスペースを必要とせず、必要以上の煩雑な洗浄作業が不要であって、無駄な要素がないために環境上好ましく、比較的容易に抽出飲料物（コーヒー等）の味を調整可能な、飲料抽出装置１を得ることができる。また、本実施形態によれば、使用時および不使用時に広いスペースを必要とせず、必要以上の煩雑な洗浄作業が不要であって、無駄な要素がないために環境上好ましく、比較的容易にコーヒーの味を調整可能な飲料抽出装置１として機能し得る、コーヒーカップ１０を得ることができる。
【００３９】
＜その他の実施形態＞
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００４０】
したがって、例えば、上記実施形態においては、図３等に示した押さえ手段２０を用いる場合について説明したが、本発明はこのような構成に限定されず、袋体Ｐを上下に揺動させることが可能であって、袋体Ｐ（および押さえ手段自身）をコーヒーカップ１０の底部に（突起部の下方位置に）固定させることが可能であれば、押さえ手段はどのような構成であってもよい。よって、例えば、図６に示すような押さえ手段１２０を用いてもよい。
【００４１】
図６は、本発明の他の実施形態にかかる飲料抽出装置を構成する押さえ手段１２０および押さえ手段操作棒１３０の概略斜視図を示したものであって、図６（ａ）は押さえ手段操作棒１３０における押さえ手段１２０の非操作状態（分離状態）に関する概略斜視図を示し、図６（ｂ）は押さえ手段操作棒１３０における押さえ手段１２０の操作状態（接合状態）に関する概略斜視図を示している。
【００４２】
この図６に示すように、他の実施形態にかかる押さえ手段１２０は、押さえ手段本体部１２１と、この押さえ手段本体部１２１の略中央部に設けられた操作部１２２（操作孔部１２２Ａを有する操作部１２２）とを用いて構成されている。押さえ手段本体部１２１は、先に説明した第一実施形態と同様に、円盤状部材の対向する二箇所を内側に抉るような形に構成されており、対向する二つの側面凹部１２１ａと、対向する二つの側面凸部１２１ｂとを有している。また、この押さえ手段本体部１２１には、複数の貫通穴部１２３が形成されている。さらに、操作部１２２は、後述する押さえ手段操作棒１３０を挿入させるための操作孔部１２２Ａを有している。
【００４３】
また、図６に示した他の実施形態にかかる押さえ手段操作棒１３０は、操作棒本体部１３１を用いて構成されており、その先端部は、操作棒本体部１３１を折り曲げて操作棒曲がり部１３２が形成されている。
【００４４】
図６に示した他の実施形態においては、押さえ手段１２０の操作孔部１２２Ａに押さえ手段操作棒１３０の操作棒曲がり部１３２を挿入した状態で利用者が操作棒本体部１３１を把持することによって、コーヒーカップ内における押さえ手段１２０の上下動操作や回転動操作を行うことが可能となる。押さえ手段１２０の具体的な使用方法については、第一実施形態と同様である。
【００４５】
上述した図６に示した他の実施形態にかかる押さえ手段１２０によれば、先に説明した第一実施形態と同様の使用方法にて使用可能であるため、第一実施形態と同様の作用効果を得ることができる。なお、図６に示した押さえ手段１２０をトング等を用いて操作することも、当然のことながら、本発明の技術的範囲に属する。
【００４６】
さらに、上記実施形態においては、コーヒー粉末を封入した袋体Ｐを用いる場合について説明したが、本発明はこの構成に限定されず、必要に応じて、茶葉、紅茶葉等を封入した袋体を用いてもよい。
【図面の簡単な説明】
【００４７】
【図１】本発明の第一実施形態にかかる飲料抽出装置（押さえ手段を備えたコーヒーカップ）の概略斜視図を示したものである。
【図２】本発明の第一実施形態にかかる飲料抽出装置を構成するコーヒーカップの概略図を示したものである。ここで、図２（ａ）はコーヒーカップの概略上面図を示し、図２（ｂ）は図２（ａ）のII−II線に沿う概略断面図を示している。
【図３】本発明の第一実施形態にかかる飲料抽出装置を構成する押さえ手段の概略図を示したものである。ここで、図３（ａ）は押さえ手段の概略上面図を示し、図３（ｂ）は図３（ａ）のIII−III線に沿う概略断面図を示している。
【図４】本発明の第一実施形態にかかる飲料抽出装置の使用方法を説明するための概略図を示したものである。ここで、図４（ａ）はコーヒーカップに対して押さえ手段を投入する際の投入方法を説明するための概略斜視図を示し、図４（ｂ）はコーヒーカップ中にて押さえ手段を保持する際の保持方法を説明するための概略上面図を示している。
【図５】本発明の第一実施形態にかかる飲料抽出装置を用いてコーヒーを製造する際の製造方法を説明するための概略図（概略断面図）を示したものである。ここで、図５（ａ）はコーヒーカップ内に飲料水を注入する注入工程に関する概略断面図を示し、図５（ｂ）はコーヒーカップ内に袋体を投入する投入工程に関する概略断面図を示し、図５（ｃ）は押さえ手段にて袋体を揺動させる揺動工程に関する概略断面図を示し、図５（ｄ）は押さえ手段にて袋体をコーヒーカップの底部に滞留保持させる滞留保持工程に関する概略断面図を示している。
【図６】本発明の他の実施形態にかかる飲料抽出装置を構成する押さえ手段および押さえ手段操作棒の概略斜視図を示したものである。ここで、図６（ａ）は押さえ手段操作棒における押さえ手段の非操作状態（分離状態）に関する概略斜視図を示し、図６（ｂ）は押さえ手段操作棒における押さえ手段の操作状態（接合状態）に関する概略斜視図を示している。
【符号の説明】
【００４８】
１      押さえ手段を備えたコーヒーカップ（飲料抽出装置）
１０      コーヒーカップ
１１      カップ本体部（容器）
１２      突起部
１３      把持部
２０      押さえ手段
２１      押さえ手段本体部
２１ａ      側面凹部
２１ｂ      側面凸部
２２      掴み部
２３      貫通孔部
１２０      押さえ手段
１２１      押さえ手段本体部
１２１ａ      側面凹部
１２１ｂ      側面凸部
１２２      操作部
１２２Ａ      操作孔部
１２３      貫通孔部
１３０      押さえ手段操作棒
１３１      操作棒本体部
１３２      操作棒曲がり部
【図１】
2009207678.tif 000003
【図２】
2009207678.tif 000004
【図３】
2009207678.tif 000005
【図４】
2009207678.tif 000006
【図５】
2009207678.tif 000007
【図６】
2009207678.tif 000008